(57)【要約】オストミーベルトシステムは、細長材料片とベルト結合要素とを有するオストミーベルトと、オストミーパウチであって、内部容積を画定する外壁と、ベルト結合要素との解放可能な係合のために構成されたパウチ結合セクションとを有するオストミーパウチとを含む。ベルト結合要素及びパウチ結合セクションの一方又は両方は、予め決められた場所で撓むか又は曲がるように構成される。
2019514541.tif 000002
【特許請求の範囲】
【請求項１】
オストミーベルトシステムであって、
細長材料片及びベルト結合要素を有するオストミーベルトと、
オストミーパウチであって、内部容積を画定する外壁及び、前記ベルト結合要素との解放可能な係合のために構成されたパウチ結合セクションを有するオストミーパウチと
を含み、
前記ベルト結合要素及び前記パウチ結合セクションの一方又は両方は、予め決められた場所で撓むか又は曲がるように構成される、オストミーベルトシステム。
【請求項２】
前記ベルト結合要素は、前記細長材料片に固定された第１結合要素及び第２結合要素を含み、
前記第１結合要素は、１つ又は複数の締結具を含み、
前記第２結合要素は、前記第１結合要素のそれぞれの締結具に着脱可能に係合するように構成された１つ又は複数の対応する締結具を含む、請求項１に記載のオストミーベルトシステム。
【請求項３】
前記第１結合要素及び第２結合要素は、前記細長材料片に固定されたベースと、前記ベースから延在する締結部分とをそれぞれ含む、請求項２に記載のオストミーベルトシステム。
【請求項４】
前記ベースは、前記細長材料片を受けるための開口を含み、
前記オストミーベルトは、スライドバックルを含む調節可能ベルトとして構成される、請求項３に記載のオストミーベルトシステム。
【請求項５】
前記それぞれの締結部分は、開いて湾曲したセクションを形成する、請求項３又は４に記載のオストミーベルトシステム。
【請求項６】
前記締結具は、前記第１結合要素の前記締結部分の実質的に両側の端部に位置付けられ、
前記対応する締結具は、前記第２結合要素の前記締結部分の実質的に両側の端部に位置付けられる、請求項２〜５のいずれか一項に記載のオストミーベルトシステム。
【請求項７】
前記オストミーパウチの前記外壁は、
先端側と、
基端側であって、該基端側に形成された入口開口を有する基端側と、
前記基端側から延在する遮蔽体と
を含み、
前記ベルト結合要素は、前記遮蔽体と前記基端側との間に位置付けられる、請求項１〜６のいずれか一項に記載のオストミーベルトシステム。
【請求項８】
前記パウチ結合セクションは、前記基端側の前記入口開口の周りに形成され、
前記第１結合要素は、前記オストミーパウチを支持するために前記パウチ結合セクションで前記第２結合要素に固定される、請求項７に記載のオストミーベルトシステム。
【請求項９】
前記ベルト結合要素は、前記ベルト結合要素が前記予め決められた場所で撓むか又は曲がることを可能にするための１つ又は複数の可撓性セクションを含む、請求項１〜８のいずれか一項に記載のオストミーベルトシステム。
【請求項１０】
前記１つ又は複数の可撓性セクションは、減少した材料厚さ、材料プロファイルの変化、及び異なる可撓性特性を有する２つの材料、のうち、１つ又は複数によって形成される、請求項９に記載のオストミーベルトシステム。
【請求項１１】
前記パウチ結合セクションは、パウチ結合リングとして形成され、且つ前記ベルト結合要素との解放可能な結合係合のために構成された１つ又は複数のパウチ締結具を含む、請求項１〜１０のいずれか一項に記載のオストミーベルトシステム。
【請求項１２】
前記パウチ結合リングは、前記パウチ結合リングが前記予め決められた場所で撓むか又は曲がることを可能にするための１つ又は複数の可撓性セクションを含む、請求項１１に記載のオストミーベルトシステム。
【請求項１３】
前記１つ又は複数の可撓性セクションは、減少した材料厚さ、材料プロファイルの変化、及び異なる可撓性特性を有する２つの材料、のうち、１つ又は複数によって形成される、請求項１２に記載のオストミーベルトシステム。
【請求項１４】
オストミーベルトであって、
細長材料片と、
第１結合要素及び前記第１結合要素との解放可能な係合のために構成された第２結合要素であって、前記第１及び第２結合要素のそれぞれは、前記細長材料片に固定される、第１結合要素及び第２結合要素と、
各結合要素が１つ又は複数の予め決められた場所で曲がることを可能にするための、前記第１及び第２結合要素のそれぞれに形成された１つ又は複数の可撓性セクションと
を含むオストミーベルト。
【請求項１５】
前記第１結合要素及び第２結合要素は、前記細長材料片に固定されたベースと、前記ベースから延在する締結部分とをそれぞれ含み、
前記第１結合要素は、１つ又は複数の締結具を含み、
前記第２結合要素は、前記第１結合要素のそれぞれの締結具に着脱可能に係合するように構成された１つ又は複数の対応する締結具を含む、請求項１４に記載のオストミーベルト。
【請求項１６】
前記それぞれの締結部分は、開いて湾曲したセクションを形成する、請求項１５に記載のオストミーベルト。
【請求項１７】
前記締結具は、前記第１結合要素の前記締結部分の実質的に両側の端部に位置付けられ、
前記対応する締結具は、前記第２結合要素の前記締結部分の実質的に両側の端部に位置付けられる、請求項１５又は１６に記載のオストミーベルト。
【請求項１８】
前記１つ又は複数の可撓性セクションは、減少した材料厚さ、材料プロファイルの変化、及び異なる可撓性特性を有する２つの材料、のうち、１つ又は複数によって形成される、請求項１４〜１７のいずれか一項に記載のオストミーベルト。
【請求項１９】
前記ベースは、前記細長材料片を受けるための開口を含み、前記オストミーベルトは、スライドバックルを含む調節可能ベルトとして構成される、請求項１５〜１８のいずれか一項に記載のオストミーベルト。
【請求項２０】
オストミーパウチであって、
入口開口を有する基端側と、
前記基端側の反対側の先端側と、
前記基端側と前記先端側との間に画定された内部容積と、
前記基端側の外側に配置され、且つ前記入口開口の周りに位置付けられたパウチ結合リングを含み、
前記パウチ結合リングが、オストミーベルトと係合するために構成された１つ又はパウチ締結具及び、１つ又は複数の予め決められた場所で曲がることを可能にするための１つ又は複数の可撓性セクションとを含むパウチ結合リング
を備える、
オストミーパウチ。
【発明の詳細な説明】
【技術分野】
【０００１】
以下の説明は、オストミー器具、特にオストミーを有する人においてオストミーパウチを支持するためのオストミー支持ベルトシステムに関する。
【背景技術】
【０００２】
オストミー器具又はシステムは、結腸又は小腸の一部をそらすための外科手術の結果として典型的に作られるストーマからの老廃物を取集するための手段を提供する医療デバイス又は人工装具である。オストミー器具の１つのタイプは、ストーマ又はストーマ周囲領域の周りでオストメイト（オストミーを有する人）に取り付けられ得るオストミーパウチシステムである。
【０００３】
オストミーパウチは、オストメイトに様々な方法で接続され得る。１つの配置構成において、フェイスプレートは、体の方を向いている側と、パウチの方を向いている側と、開口と、フェイスプレート結合セクションとを含む。体の方を向いている側は、ストーマ周囲領域でオストメイトに接着される。開口は、それを通じてストーマを受けるように構成される。結合セクションは、パウチの方を向いている側に形成される。オストミーパウチは、入口と、入口の周りのパウチ結合セクションとを含む。このパウチ結合セクションは、開口及びパウチ入口が整列するようにフェイスプレート結合セクションに結合される。他の構成において、フェイスプレート及びオストミーパウチは、一部片システムとして一体的に形成され得る。両方の構成において、体の老廃物は、ストーマからパウチに受け入れられ得る。
【０００４】
オストミーパウチをオストメイトに接続するための別の配置構成は、オストミーベルトシステムを含む。このオストミーベルトは、典型的には、オストメイトの腹部又は胴の周りに延在し、ベルトの両側にフック又は留め金を含む。このオストミーパウチは、典型的には、リング上に約１８０度離して配置された対向するベルトタブを有するパウチ結合リングを含む。フック又は留め金は、それぞれのベルトタブとの嵌め合い係合のために構成される。オストミーパウチは、典型的には、オストメイトの肌に接着接合するために体の方を向いているパウチ壁から延在する密封部を含む。したがって、ベルトは、オストミーパウチと密封セクションとの間の領域でパウチ結合リングに接続される。オストミーベルトは、オストミーパウチ及びその任意の内容物を部分的に支持する。
【０００５】
しかしながら、上述のオストミーベルトシステムにおいて、オストミーパウチ上のパウチ結合リングは、比較的曲がらない。結果として、ストーマ周囲領域におけるオストメイトの肌へのパウチ結合リングの接点は、特にストーマが窪んでいる場所で又はオストメイトが動いている間に不快を生じ得る。加えて、パウチ結合リングは、（例えば、オストメイトが動いている間の）オストメイトの腹部の輪郭の変化とともに移動しないため、パウチ結合リングは、密封接着剤に抗うように引っ張る場合があり、オストメイトの肌での密封を弱めるか又は壊し得る。さらに、オストミーパウチの結合リングは、オストミーパウチの入口開口の周りの支持構造として機能する。しかしながら、結合リングを備えたオストミーパウチを作ることは、費用又は時間がかかり得る熱密封などの追加的な製造ステップを必要とする。なおさらに、オストメイト又は介護者は、オストミーベルトをオストミーパウチに接続するためにオストミーベルトの留め金又はフックをパウチ結合リングのベルトタブと係合させることを難しく感じる場合もある。
【発明の概要】
【発明が解決しようとする課題】
【０００６】
したがって、オストメイトのストーマ周囲領域において、使用するのに好都合であり且つ／又は複雑さ及び部品を減少させる可撓性の結合取付具を有するオストミーベルトシステムを提供することが望ましい。
【課題を解決するための手段】
【０００７】
一実施形態において、オストミーベルトシステムであって、細長材料片(a strip of material)とベルト結合要素とを有するオストミーベルトと、オストミーパウチであって、内部容積を画定する外壁と、ベルト結合要素との解放可能な係合のために構成されたパウチ結合セクションとを有するオストミーパウチとを含むオストミーベルトシステムが提供される。このベルト結合要素及びパウチ結合セクションの一方又は両方は、予め決められた場所で撓むか又は曲がるように構成される。
【０００８】
別の実施形態によると、オストミーベルトであって、第１端部及び第２端部を含む細長材料片と、第１端部に固定された第１結合要素と、第１結合要素との解放可能な係合のために構成された第２端部に固定された第２結合要素と、各結合要素が１つ又は複数の予め決められた場所で曲がることを可能にするための、第１及び第２結合要素のそれぞれに形成された１つ又は複数の可撓性セクションとを有するオストミーベルトが提供される。
【０００９】
なお別の実施形態によると、オストミーパウチであって、入口開口を有する基端側と、基端側の反対側の先端側と、基端側と先端側との間に画定された内部容積と、基端側の外側に配置され、且つ入口開口の周りに位置付けられたパウチ結合リングとを含むオストミーパウチが提供される。このパウチ結合リングは、オストミーベルトと係合するために構成された１つ又は複数のパウチ締結具と、１つ又は複数の予め決められた場所で曲がることを可能にするための１つ又は複数の可撓性セクションとを含む。
【００１０】
本開示の他の目的、特徴、及び利点は、同様の符号が同様の部分、要素、コンポーネント、ステップ、及びプロセスを指す添付の図面と併せて以下の説明から明らかになる。
【図面の簡単な説明】
【００１１】
【図１】本明細書で説明される実施形態によるオストミーベルトシステムの透視した平面図である。
【図２】本明細書で説明される別の実施形態によるオストミーベルトシステムのオストミーパウチの平面図である。
【図３】図２のオストミーベルトシステムの断面図である。
【図４】実施形態によるオストミーベルトの斜視図である。
【発明を実施するための形態】
【００１２】
本開示は、様々な形態の実施形態が可能であるが、本開示は、例示のみを目的とするものとみなされ、本開示を説明又は図示されたいずれかの特定の実施形態に限定することを意図されないという理解の下、１つ又は複数の実施形態が図示され且つ以下で説明される。
【００１３】
図１〜３を全体として参照すると、本明細書において説明される実施形態によるオストミーベルトシステム１０は、オストミーベルト１２とオストミーパウチ１４とを含む。オストミーベルト１２は、ベルト結合要素１６を含む。オストミーパウチ１４は、ベルト結合要素１６との解放可能な協働係合のために構成されたパウチ結合セクション１８を含む。一実施形態において、ベルト結合要素１６及びパウチ結合セクション１８の一方又は両方は、オストメイトの腹部の動きとともに撓むか又は曲がり得る。この目的のために、ベルト結合要素１６及びパウチ結合セクション１８の一方又は両方は、以下で説明されるとおり１つ又は複数の可撓性セクションを含み得る。
【００１４】
図１は、本明細書において説明される一実施形態によるオストミーベルトシステム１０の透視した平面図である。オストミーベルト１２は、細長材料片２０を含む。ベルト結合要素１６は、細長材料片２０の一端又は両端に配置される。細長材料片２０は、弾性であり得るか又は弾性セクションを含み得る。一実施形態において、ベルト結合要素１６は、細長材料片２０のそれぞれの端部に配置された第１結合要素２２及び第２結合要素２４を含む。別の実施形態において、オストミーベルト１１２は、図４に示されるとおり、異なる胴サイズに適合するためにスライドバックル１０２を含む調節可能ベルトとして構成され得る。そのような実施形態において、第１及び第２結合要素２２、２４は、細長材料片２０を受けるための開口１０４を含み得る。
【００１５】
各結合要素２２、２４は、一般に、細長材料片２０に固定されたベース２６と、ベース２６から延在する締結部分２８とを含む。ベース２６及び締結部分２８は、一部片として一体的に形成され得る。第１結合要素２２の締結部分２８は、第２結合要素の締結部分２８と着脱可能に係合するように構成される。この目的のために、各締結部分２８は、１つ又は複数の締結具３０であって、他方の締結部分２８のそれぞれの対応する締結具３０との解放可能な嵌め合い係合のために構成された１つ又は複数の締結具３０を含む。
【００１６】
一実施形態において、締結具３０は、例えば、スナップ嵌め、摩擦嵌め、締まり嵌め、確動連動装置(positive interlocking)又は他の好適なタイプの締結具であり得る。例えば、第１結合要素２２の締結具は、フック又はタブとして形成され得、及び第２結合要素２４の対応する締結具は、フック又はタブを受けるように構成されたアパーチャ又は凹部であり得る。他の好適な締結具は、留め金、クリップ、フックアンドループファスナー、接着剤などを含むがこれらに限定されない。
【００１７】
一実施形態において、第１及び第２結合要素２２、２４は、中央開口３２を有する閉鎖された又は実質的に閉鎖されたループを形成するように互いに係合するように構成される。一実施形態において、第１及び第２結合要素２２、２４のそれぞれの締結部分２８は、互いに接続されたときに第１及び第２結合要素２２、２４が実質的に円形の中央開口３２を形成するように、開いて湾曲したセクション、例えば実質的に半円形であり得る。しかしながら、本開示はこの例に限定されず、卵形、楕円形及び他の実質的に閉鎖されたループ形状を含むがこれらに限定されない、中央開口３２のための他の形状も想定される。加えて、一実施形態において、締結部分２８の外側周辺部は、オストメイトの肌内へ突出し得る角がないように実質的に丸みを帯びているか又は湾曲している。
【００１８】
上述の実施形態において、締結具３０は、各締結部分２８の実質的に両側の端部に配置され得る。例えば、各締結部分２８の下端部は、互いとの解放可能な係合のために構成された対応する締結具３０を含み得、及び各締結部分２８の上端部は、互いとの解放可能な係合のために構成された対応する締結具３０を含み得る。
【００１９】
加えて、各締結部分２８の異なる位置に配置された締結具３０は、異なるタイプの締結具として実装され得る。例えば、一実施形態において、上端部及び下端部の一方の対応する締結具３０は、係合されると、上端部及び下端部の他方の対応する締結具３０が係合のために互いに向かって又は係合解除される際に互いから離れるように回転し得るように、枢動可能又は回転可能な接続を形成し得る。
【００２０】
第１及び第２結合要素２２、２４は、各結合要素２２、２４がオストメイトの動きとともに撓むか又は曲がることを可能にするように構成された１つ又は複数の可撓性セクション３４も含み得る。加えて、１つ又は複数の可撓性セクション３４は、ベルト結合要素１６が、窪んでいるストーマの周りの凹形ストーマ周囲領域の輪郭に実質的に従うことを可能にし得る。一実施形態において、１つ又は複数の可撓性セクション３４は、リビングヒンジ(living hinge)を形成するために、締結部分２８における材料厚さが減少した領域又は線によって形成される。別の実施形態において、１つ又は複数の可撓性セクション３４は、結合要素２２、２４の厚さ又はプロファイル(profile)を次第に変化させることによって形成され得る。例えば、一実施形態において、各結合要素２２、２４の上及び下端部は、第１厚さを有して形成され得、上及び下端部の間の中央領域は、第１厚さより薄い第２厚さを有し得る。上又は下端部から中央領域へ移動するにつれ、厚さは徐々に又は段階的に減少し得る。別の構成において、中央領域は、上及び下端部より大きい厚さを有し得る。
【００２１】
別の実施形態において、１つ又は複数の可撓性セクション３４は、より可撓性のある異なる材料を使用することによって形成され得る。例えば、各結合要素２２、２４は、異なる特性を有する異なる材料が使用される二重成形プロセスにおいて形成され得る。一実施形態において、可撓性セクション３４は、例えば、熱可塑性エラストマー（ＴＰＥ）、ポリエチレンなど、好適に可撓性である材料から成形され得る一方、各結合要素２２、２４の隣接する比較的可撓性がより低いセクションは、例えば、ポリプロピレンなどの比較的堅い材料から成形され得る。異なる相対的可撓性又は剛性特性を有する他の好適な材料も使用され得る。
【００２２】
個々の可撓性セクションは、上述の技術の１つ又は複数によって形成され得ることが理解される。例えば、可撓性セクションは、様々な材料厚さ又はプロファイルとともに異なる可撓性特徴又は特性を有する２つの材料から形成され得る。さらに、同じ部分に形成される異なる可撓性セクションは、上で説明された異なる技術によって形成され得ることが理解される。例えば、１つの可撓性セクションは、異なる可撓性特徴又は特性を有する２つの材料から形成され得る一方、別の可撓性セクションは、材料厚さが減少された状態で形成され得る。
【００２３】
１つ又は複数の可撓性セクション３４は、望ましい可撓性特徴を得るために異なる方向に延在し得、且つ／又は互いに異なる形状であり得る。加えて、結合要素２２、２４は、上で説明された技術の１つ又は複数を使用して形成された異なる可撓性セクション３４を含み得る。
【００２４】
第１及び第２結合要素２２、２４は、対応する締結具３０が結合要素２２、２４を互いに固定するために係合するように互いに向かって移動され得る。一実施形態において、結合要素２２、２４を互いから離すように付勢する細長材料片２０の弾性により、対応する締結具３０を互いに係合された状態で保持し得る。結合要素２２、２４は、弾性を打ち勝ち且つ対応する締結具３０を係合解除するために互いに向かって移動され得る。代替的に又は加えて、対応する締結具３０は、例えば、タブ又はフックを凹部から解放するために、挟持力又は絞り力を締結具３０にかけることによって解放され得る。別の実施形態において、対応する締結具３０にかけられた引く力は、締結具３０を互いから係合解除するために機能し得る。
【００２５】
上述の実施形態において、結合要素２２、２４が互いに係合した状態で、ベルト結合要素１６は、ベルト結合リングを実質的に形成し得る。このベルト結合リングは、オストミーパウチ１４の一部の周りに合い且つそれと係合するように構成され、それによりオストミーパウチ１４をベルト１２に固定する。結合要素１６は、オストミーパウチ１４における入口の周りに構造的支持及び／又は強化を提供する。したがって、上述の実施形態におけるベルト結合要素１６により、既知のパウチ結合リングは、オストミーベルトシステム１０から省かれ得る。加えて、上述の実施形態において説明された対応する締結具３０により、オストメイト又は介護者は、オストミーベルトをオストミーパウチにより容易に固定することが可能になり得る。この構成は、機敏さが限られているユーザにとっても有益であり得る。なおさらに、１つ又は複数の可撓性セクション３４は、結合要素１６が着用者の動きとともに撓むか又は曲がり、凹形ストーマ周囲領域に従うことを可能にし得、快適さを向上させ、着用者の肌に対する密封の質に悪影響を与え得る引く力を限定する。
【００２６】
なお図１を参照すると、基端側３６と基端側３６の反対側の先端側３８とを備えた外壁を有するオストミーパウチ１４が形成され得る。オストミーパウチ１４は、一部片オストミーパウチであり得、基端３６及び先端側３８は、単一の連続的部片として形成される。代替的に、オストミーパウチ１４は、２つ以上の部片から形成され得る。例えば、基端側３６は、基端側壁３６であり得、及び先端側３８は、先端側壁３８であり得る。基端側壁３６及び先端側壁３８は、オストミーパウチ周辺部４０を形成するためにそれぞれの周辺部の周りで互いに接続され得る。基端３６及び先端側壁３８は、例えば、熱密封又は他の同様の既知の方法によって接続され得る。
【００２７】
基端３６及び先端側３８は、ストーマから受けた体の老廃物を取集及び保存するように構成された内部容積４２をそれらの間に画定する。この目的のために、基端側３６は、入口開口４４を含み、この入口開口４４を通じて体の老廃物が受け入れられ得る。パウチ結合セクション１８は、基端側３６の外部、すなわち内部容積４２内ではないところに、入口開口４４に隣接して入口開口４４の周りに配置される。遮蔽体４６は、入口開口４４から延在し、例えばフェイスプレートとして形成され得る。遮蔽体４６は、ストーマ周囲領域におけるオストメイトの腹部への接合のために体の方を向いている側に接着剤を含む。遮蔽体４６は、入口開口４４内で略整列された入口４８も含み、この入口開口４４を通じて体の老廃物が受け入れられ得る。パウチ結合セクション１８は、基端側３６と遮蔽体４６との間に配置される。
【００２８】
上述の実施形態において、ベルト結合要素１６は、パウチ結合セクション１８において、遮蔽体４６とオストミーパウチ１４の基端側３６との間に配置され得る。第１及び第２結合要素２２、２４は、オストミーパウチ１４の入口開口４４を実質的に囲む。ベルト結合要素１６の中央開口３２は、パウチ入口開口４４の外径とおよそ等しいか又はそれより僅かに大きい内径を有する。ベルト結合要素１６は、細長材料片２０によってかけられる弾力により、オストメイトの体に抗して付勢され得る。
【００２９】
図２は、本明細書で説明される別の実施形態によるオストミーベルトシステムにおいて使用されるオストミーパウチ１１４の平面図である。図３は、図２のオストミーベルトシステムの断面図である。以下の実施形態において、上述のものと同様又は同一の特徴は、同じ専門用語を使用して言及され、同様の符号を使用して示される。図２及び３を参照すると、一実施形態において、オストミーパウチ１１４は、上述の実施形態において説明されたオストミーパウチ１４と実質的に同様に形成され得る。しかしながら、図２及び３に示されるとおり、オストミーパウチ１１４のパウチ結合セクション１８は、オストミーパウチ１１４の基端側３６、すなわち体の方を向いている側に位置付けられたパウチ結合リング１１８として形成され得る。パウチ結合リング１１８は、オストミーパウチ１１４の入口開口４４を実質的に又は完全に囲み、且つオストミーベルトのベルト締結具との解放可能な嵌め合い係合のために構成される。
【００３０】
一実施形態において、パウチ結合リング１１８は、オストミーベルトの対応する締結具との解放可能な嵌め合い係合のために構成された１つ又は複数のパウチ締結具１５０を含む。好ましくは、１つ又は複数のパウチ締結具１５０は、実質的に互いに正反対に位置付けられた２つのパウチ締結具１５０として形成される。しかしながら、本開示はこの構成に限定されず、パウチ締結具１５０の数は変わり得る。一実施形態において、各パウチ締結具１５０は、それぞれの固定タブ１５２に配置され得る。パウチ締結具１５０は、オストミーベルトの対応するベルト締結具との解放可能な係合のために構成される。
【００３１】
一実施形態において、パウチ締結具１５０及び対応するベルト締結具は、例えば、スナップ嵌め、摩擦嵌め、締まり嵌め、確動連動装置又は他の好適なタイプの締結具であり得る。例えば、パウチ締結具１５０は、フック又はタブとして形成さ得、及び対応するベルト締結具は、フック又はタブを受けるように構成されたアパーチャ又は凹部であり得、又は逆も同様である。他の好適な締結具は、留め金、クリップ、フックアンドループファスナー、接着剤などを含むがこれらに限定されない。
【００３２】
パウチ結合リング１１８は、１つ又は複数の可撓性セクション１３４も含み得る。パウチ結合リング１１８の１つ又は複数の可撓性セクション１３４は、上で説明された第１及び第２結合要素２２、２４の１つ又は複数の可撓性セクション３４と同様に形成され得る。例えば、パウチ結合リング１１８の１つ又は複数の可撓性セクション１３４は、材料厚さが減少した領域又は線（例えばリビングヒンジ）、次第に変化する厚さ、又は二重射出成形プロセスにおいて形成された異なる可撓性又は剛性特性を有する異なる材料、又はこれらの組合せによって形成され得る。
【００３３】
一実施形態において、１つ又は複数の可撓性セクション１３４は、パウチ結合リング１１８の幅にわたって延在する複数の離間された線として形成され得る。離間された線は、互いに実質的に平行であり得、且つ垂直軸「Ａ」にわたって実質的に鏡で映し出された関係で形成され得る。しかしながら、本開示はこの構成に限定されない。
【００３４】
したがって、パウチ結合リング１１８は、オストメイトの体の動きに適合するために、予め決められた場所、すなわち１つ又は複数の可撓性セクション１３４で曲がるか又は撓むことができる。パウチ結合セクションリング１１８の可撓性は、ストーマ周囲領域における点接触を実質的に減らすか又は防ぐように意図される。加えて、パウチ結合リング１１８の可撓性は、パウチ結合リング１１８が、ストーマ周囲領域の輪郭、例えば窪んでいるストーマの周りに実質的に合致することを可能にする。したがって、想定された快適さの利益に加えて、パウチ結合リング１１８により、既知の平らな結合リングに比べて、オストメイトの肌に対する接着密封への引く力がより小さくなり得、密封完全性をより良好に維持し得る。
【００３５】
上述の異なる実施形態からの要素は、一緒に使用され得る。例えば、ベルト結合要素１６は、パウチ結合リング１１８と着脱可能に且つ嵌め合いして係合し得る。すなわち、一実施形態において、ベルト結合要素１６は、パウチ結合リング１１８のパウチ締結具１５０との解放可能な係合のために既知のフック又は留め金として形成され得る。加えて、一実施形態において、ベルト結合要素及びパウチ結合セクションは、予め決められた場所で撓むか又は曲がることを可能にするように構成された１つ又は複数の可撓性セクションをそれぞれ含み得る。
【００３６】
上で説明された相対的方向、例えば「上向き」、「下向き」、「上」、「下」、「より上」、「より下」は、説明のみを目的として使用され、オストミーパウチ及び／又は患者の方向に依存して変化し得ることが理解される。したがって、この専門用語は、本質的に非限定的である。
【００３７】
本明細書において参照される全ての特許は、本開示の本文においてそのように具体的に示されていてもいなくても、その全体が参照により本明細書に組み込まれる。
【００３８】
本開示において、「１つの（ａ）」又は「１つの（ａｎ）」という用語は、単数及び複数の両方を含むと解釈される。反対に、複数の項目へのいずれの言及も適切な場合には単数を含む。
【００３９】
上記から、本発明の新規な概念の真の趣旨及び範囲から逸脱することなく多くの修正形態及び変形形態が生じ得ることが分かる。図示された特定の実施形態に対する限定は意図されておらず、又は推測されるべきでないことが理解される。本開示は、添付の特許請求の範囲により、全てのそのような修正形態を、特許請求の範囲内に含まれるものとして包含することが意図される。
【図１】
2019514541.tif 000003
【図２】
2019514541.tif 000004
【図３】
2019514541.tif 000005
【図４】
2019514541.tif 000006
【国際調査報告】
2019514541.tif 000007
2019514541.tif 000008
2019514541.tif 000009